(57)【要約】【課題】接続作業の現場で、容易且つ能率的にアンカーボルトと建築物の柱とを接続できるホールダウン金具と、そのホールダウン金具を用いた建築物の基礎と柱との接続方法を提供すること。【解決手段】本発明は、柱への固定部材２と、アンカーボルトへの締結部材３と、この両部材２、３の接続部材４とから構成されており、接続部材４の上部に固定部材２を取付け、接続部材４の下部に上記締結部材３を取付けて、全体を一体的に構成したホールダウン金具１と、このホールダウン金具１を用いて、アンカーボルトに上記締結部材３を、柱に上記固定部材２をそれぞれ取付けて接続する方法である。【選択図】　　　　図３
2004044165.tif 000002
【特許請求の範囲】
【請求項１】
建築物の基礎に埋設されたアンカーボルトと、建築物の柱とを接続するためのホールダウン金具であって、柱への固定部材と、アンカーボルトへの締結部材と、この固定部材と締結部材とを接続するための接続部材とから構成されており、接続部材の上部に上記固定部材を取付けると共に、接続部材の下部に上記締結部材を取付けて、全体を一体的に構成したことを特徴とするホールダウン金具。
【請求項２】
締結部材は接続部材とは無関係に独自に回転可能に構成されている請求項１に記載のホールダウン金具。
【請求項３】
固定部材は接続部材とは無関係に独自に回転可能に構成されている請求項１に記載のホールダウン金具。
【請求項４】
接続部材をワイヤロープにより構成した請求項１に記載のホールダウン金具。
【請求項５】
接続部材をロッドにより構成した請求項１に記載のホールダウン金具。
【請求項６】
建築物の基礎に埋設されたアンカーボルトと、建築物の柱との接続方法であって、柱への固定部材と、アンカーボルトへの締結部材と、この固定部材と締結部材とを接続するための接続部材とから構成され、接続部材の上部に上記固定部材を取付けると共に、接続部材の下部に上記締結部材を取付けて、全体を一体的に構成したホールダウン金具を用いて、アンカーボルトに上記締結部材を、柱に上記固定部材をそれぞれ取付けて接続することを特徴とする建築物の基礎と柱との接続方法。
【発明の詳細な説明】
【０００１】
【発明の属する技術分野】
本発明は、ホールダウン金具及びそのホールダウン金具を用いた建築物の基礎と柱との接続方法に関し、さらに詳しくは、建築物の基礎に埋設されたアンカーボルトと、建築物の柱とを接続するためのホールダウン金具及びそのホールダウン金具を用いた建築物の基礎と柱との接続方法に関するものである。
【０００２】
【従来の技術】
建築物の基礎の上部に配置した土台に柱を立設固定する際に、土台に対する柱の立設強度を向上する手段としては、従来より種々のものが提供されているが、いづれの場合も、柱に固着するホールダウン金物と基礎に埋め込まれたアンカーボルトを接続するための接続部材は、ホールダウン金物とは別個に構成されている。
【０００３】
従って、上記各部材を用いて土台に立設した柱の立設強度を向上するためには、柱にホールダウン金物を固着する工程と、このホールダウン金物に接続部材の上端部を取付ける工程と、接続部材の下端部に取付けられている締結部材をアンカーボルトに締結する工程が必要であるため、容易且つ能率的に接続作業を行ない難く、接続現場のスペースが狭いことも相俟って、その接続作業は著しく困難であるという問題がある。
【０００４】
【発明が解決しようとする課題】
本発明は、上記の問題を解決することを課題として開発されたものであって、接続作業の現場において、接続部材の上端部をホールダウン金物に取付ける工程を省き得て、著しく容易且つ能率的にアンカーボルトと建築物の柱とを接続できるホールダウン金具及びそのホールダウン金具を用いた建築物の基礎と柱との接続方法を提供することを主要な目的とする。
【０００５】
【課題を解決するための手段】
上記の課題を解決し、その目的を達成する手段として、本発明は、建築物の基礎に埋設されたアンカーボルトと、建築物の柱とを接続するためのホールダウン金具であって、柱への固定部材と、アンカーボルトへの締結部材と、この固定部材と締結部材とを接続するための接続部材とから構成されており、接続部材の上部に上記固定部材を取付けると共に、接続部材の下部に締結部材を取付けて、全体を一体的に構成したことを特徴とするホールダウン金具を提供するものである。
【０００６】
また、本発明は、上記のように構成したホールダウン金具において、締結部材は接続部材とは無関係に独自に回転可能に構成されているホールダウン金具、及び固定部材は接続部材とは無関係に独自に回転可能に構成されているホールダウン金具、及び接続部材をワイヤロープにより構成したホールダウン金具、並びに接続部材をロッドにより構成したホールダウン金具をそれぞれ提供するものである。
【０００７】
さらに、上記の課題を解決し、その目的を達成する手段として、本発明は、建築物の基礎に埋設されたアンカーボルトと、建築物の柱との接続方法であって、柱への固定部材と、アンカーボルトへの締結部材と、この固定部材と締結部材とを接続するための接続部材とから構成され、接続部材の上部に上記固定部材を取付けると共に、接続部材の下部に上記締結部材に取付けて、全体を一体的に構成したホールダウン金具を用いて、アンカーボルトに上記締結部材を、柱に上記固定部材をそれぞれ取付けて接続することを特徴とする建築物の基礎と柱との接続方法を提供するものである。
【０００８】
【発明の実施の形態】
以下に、本発明の主要な実施の形態の幾つかについて説明する。
図１及び図２は本発明に係るホールダウン金具の第１の実施の形態を示しており、この実施の形態では、ホールダウン金具１は、建築物の柱への固定部材２と、建築物の基礎に埋設されたアンカーボルトへの締結部材３と、上記固定部材２と締結部材３とを接続するための接続部材４とから構成されており、この接続部材４の上部に上記固定部材２を取付けると共に、接続部材４の下部に上記締結部材３を取付けて、これらの三つの部材２、３、４を一体的に構成してある。
【０００９】
上記固定部材２は、柱の側面に取付けるための縦ながの長方形状金属板２ａに複数の取付孔２ｂを設けると共に、該金属板２ａの正面下方部に下方を開口したソケット２ｃを溶接手段により一体的に設けて構成されている。
【００１０】
また、上記締結部材３は、上方を開口したソケット３ａと、その下部内側に設けた左回りの雌ネジ３ｂと、この雌ネジ３ｂに螺合する雄ネジ３ｃを上方に突設したナット３ｄから構成されている。
【００１１】
また、上記接続部材４は、この実施の形態では、ワイヤロープ４ａで構成されており、このワイヤロープ４ａの一端部を固定部材２のソケット２ｃに挿通し、ソケット２ｃをカシメてワイヤロープ４ａの上部に固定部材２を一体的に取付けると共に、ワイヤロープ４ａの他端部を締結部材３のソケット３ａに挿通し、ソケット３ａをカシメてワイヤロープ４ａの下部に、ソケット３ａの下部に螺合したナット３ｄの部分において、締結部材３をワイヤロープ４ａとは無関係に独自に回転可能な状態で一体的に取付けて、本発明に係るホールダウン金具１を構成したものである。
【００１２】
次に、上記のように構成した第１の実施の形態の使用状態を作用、効果と共に説明すれば、図１及び図２に示すように、使用に際しては、上記のように構成した締結部材３のナット３ｄの雄ネジ３ｃをソケット３ａの雌ネジ３ｂに途中まで螺合させておく。
【００１３】
そして、図７に略示するように、建物の基礎に埋設させて、上端を土台（イ）から突出させたアンカーボルト（ロ）に締結部材３のナット３ｄを螺合（図３参照）した後、ホールダウン金具１の固定部材２の金属板２ａを建物の土台（イ）上に立設された柱（ハ）の所要の位置に、取付孔２ｂを介してビスなどにより固着して、ワイヤロープ４ａよりアンカーボルト（ロ）と柱（ハ）とを接続する。
【００１４】
次に、アンカーボルト（ロ）に螺合したナット３ｄを、図３に示すように、矢印方向にさらに回転させてねじ込むと、ターンバックル作用により、ソケット３ａの雌ネジ３ｂに途中まで螺合してある雄ネジ３ｃも、ソケット３ａの雌ネジ３ｂ内にねじ込まれてソケット３ａと共にワイヤロープ４ａを引き寄せるため、この引き寄せ張力により、ワイヤロープ４ａによるアンカーボルト（ロ）と柱（ハ）の接続を必要且つ十分に調節された接続力で接続できるものである。
【００１５】
従って、上記第１の実施の形態によれば、従来のように、接続作業の現場において、接続部材の上端部をホールダウン金物に取付ける工程を省き得て、著しく容易且つ能率的にアンカーボルトと建築物の柱とを接続できる利点がある。
【００１６】
また、上記締結部材３の独自の構成により、該締結部材３はナット３ｄの部分でワイヤロープ４ａとは無関係に回転できるので、上述した理由により、このホールダウン金具１のワイヤロープ４ａによるアンカーボルト（ロ）と柱（ハ）の接続を、必要且つ十分に調節された接続力で接続できる利点があると共に、その際に、アンカーボルト（ロ）への締結部材３のナット３ｄの締め込み量が増大しても、接続部材であるワイヤロープ４ａの撚りに変化を生じるおそれがなく、且つアンカーボルト（ロ）の突出位置が所定の位置と多少相違していても、その相違に対応して支障なく接続できる利点がある。
【００１７】
図４及び図５は本発明の第２の実施の形態を示しており、上記第１の実施の形態とは締結部材３の構成のみを異にしているから、主にこの締結部材３の構成と作用、効果について説明し、上記第１の実施の形態と同一部分には同一符号を付すと共に、同一部分の構成の説明は省略する。
【００１８】
この第２の実施の形態の締結部材３は、スリーブ５ａと該スリーブ５ａ内に回転可能に緩挿された稍々短いソケット５ｂとを主要部材として構成されており、スリーブ５ａの上端には内向きフランジ５ａ１が設けられて、ソケット５ｂがスリーブ５ａの上端から抜脱しないように構成されると共に、ソケット５ｂ内には接続部材４であるワイヤロープ４ａの下端部がカシメ手段により挿着されていて、上記スリーブ５ａは、ソケット５ｂとワイヤロープ４ａとは無関係に独自に自由に回転できるように構成されている。
【００１９】
また、締結部材３の上記スリーブ５ａの下部内面には右回りの雌ネジ５ｃと、この雌ネジ５ｃに螺合する雄ネジ５ｄを上方に突設したナット５ｅが設けられていて、該ナット５ｅの雄ネジ５ｄを上記雌ネジ５ｃの途中まで螺合してある。
【００２０】
上記のように構成された本発明に係るホールダウン金具１の第２の実施の形態の使用状態を作用、効果と共に説明すれば、具体的に図示するのは省略したが、第１の実施の形態で述べた手順にしたがって、建物の基礎に埋設されて、上端を土台（イ）から突出させたアンカーボルト（ロ）に締結部材３のナット５ｅを螺合（図６参照）した後、ホールダウン金具１の固定部材２の金属板２ａを建物の土台（イ）上に立設された柱（ハ）の所要の位置に、取付孔２ｂを介してビスなどにより固着して、ワイヤロープ４ａによりアンカーボルト（ロ）と柱（ハ）とを接続する。
【００２１】
次に、アンカーボルト（ロ）に螺合したナット５ｅを、図６に示すように、矢印方向にさらに回転させてねじ込むと、第１の実施の形態と同様のターンバックル作用により、スリーブ５ａの雌ネジ５ｃに途中まで螺合してある雄ネジ５ｄも、スリーブ５ａの雌ネジ５ｃ内にねじ込まれてスリーブ５ａ及びソケット５ｂと共にワイヤロープ４ａを引き寄せるため、この引き寄せ張力により、第１の実施の形態と同様に、ワイヤロープ４ａによるアンカーボルト（ロ）と柱（ハ）の接続を必要且つ十分に調節された接続力が接続できると共に、第１の実施の形態と同様に、従来のように、接続作業の現場において、接続部材の上端部をホールダウン金物に取付ける工程を省き得て、著しく容易且つ能率的にアンカーボルトと建築物の柱とを接続できる利点がある。
【００２２】
また、この第２の実施の形態によれば、ワイヤロープ４ａを挿着したソケット５ｂに対してスリーブ５ａを回転自由に構成してあるので、前述した第１の実施の形態で述べた効果即ち、ホールダウン金具１のワイヤロープ４ａによるアンカーボルト（ロ）と柱（ハ）の接続を、必要且つ十分に調節された接続力で接続できる効果、及びアンカーボルト（ロ）への接続部材３のナット５ｅの締め込み量が増大しても、ワイヤロープ４ａの撚りに変化を生じるおそれがない効果、並びにアンカーボルト（ロ）の突出位置が所定の位置と多少相違していても、その相違に対応して支障なく接続できる等の効果を一層向上できるものである。
【００２３】
図８及び図９は本発明の第３の実施の形態を示しており、この実施の形態では、建築物の柱への固定部材２を、縦ながの長方形状の金属板２ａに複数の取付孔２ｂを設けた部材のみで構成し、アンカーボルトへの締結部材３を、２本の短めの金属パイプ６ａ、６ｂを外周側面において、例えば、溶接手段により固着並設した部材により構成し、且つ上記固定部材２と締結部材３とを接続するための接続部材４を、この実施の形態では、図９に示すように、上方の直線状部分７ａと下方の直線状部分７ｂとの間に緩曲線状部分７ｃを形成すると共に、下方の直線状部分７ｂに雄ネジ７ｄを設けたロッド７により構成した点において、上記第１、第２の実施の形態とは各部材の構成を異にしている。
【００２４】
この実施の形態に係るホールダウン金具１は、接続部材４を構成する上記ロッド７の上方の直線状部分７ａを、下方の直線状部分７ｂが緩曲線状部分７ｃを介して前方に突出して位置するように、固定部材２を構成する上記金属板２ａの正面下方部に、例えば、溶接手段により固着すると共に、ロッド７の下方の直線状部分７ｂの雄ネジ７ｄを、締結部材３を構成する上記２本の金属パイプ６ａ、６ｂのいづれか一方、例えば、金属パイプ６ａに挿入し、その下方突出部にナット８を螺合締着して構成されており、従って、このホールダウン金具１は、その固定部材２と締結部材３と接続部材４との三つの部材が一体的に構成されている。
【００２５】
上記のように構成されたホールダウン金具１の締結部材３は、ナット８を弛めることによりロッド７とは無関係に独自に回転可能であり、したがって図１０及び図１１に略示するように、ロッド７を挿通していない他方の金属パイプ６ｂをロッド７の回りで回転させることにより、一定の範囲内でその位置を変えることができる。
【００２６】
次に、上記のように構成された本発明に係るホールダウン金具１の第３の実施の形態の使用状態を作用、効果と共に説明すれば、図１４に略示するように、建物の基礎に埋設されて、上端を土台（イ）から突出させたアンカーボルト（ロ）に、締結部材３を構成する金属パイプ６ａ、６ｂのうちのロッド７が挿着されていない金属パイプ６ｂを挿通（図１２、図１３参照）した後、アンカーボルト（ロ）の突出端部にナット９を螺合締着し、次に、ホールダウン金具１の固定部材２の金属板２ａを建物の土台（イ）上に立設された柱（ハ）の所要の位置に取付孔２ｂを介してビスなどにより固着して、ロッド７によりアンカーボルト（ロ）と柱（ハ）とを接続する。
【００２７】
このとき、アンカーボルト（ロ）の埋設位置が所期の設定位置と相違していて、その突出端部の位置が多少偏位していても、図１０及び図１１に略示するように、ロッド７とは無関係に締結部材３（金属パイプ６ａ、６ｂ）を回転できるように構成してあるので、前記した操作にしたがい、金属パイプ６ａ、６ｂを回転して、その位置をアンカーボルト（ロ）の位置と一致させることにより、金属パイプ６ｂ内にアンカーボルト（ロ）を挿着できる利点がある。
【００２８】
したがって、上記第３の実施の形態によれば、既述した第１、第２の実施の形態と同様に、従来のように接続作業の現場において、接続部材の上端部をホールダウン金物に取付ける工程を省き得て、著しく容易且つ能率的にアンカーボルトと建築物の柱とを接続できる利点があると共に、アンカーボルト（ロ）の突出位置が所定の位置と多少相違していても、その相違に対応してアンカーボルト（ロ）と柱（ハ）との接続を確実に行なうことができる利点がある。
【００２９】
図１５は本発明の第４の実施の形態を示しており、この実施の形態に係るホールダウン金具１は、上記第１〜３の実施の形態とは異なり、柱への固定部材２を接続部材４とは無関係に独自に回転可能に構成してあり、以下、その構成について説明する。
【００３０】
このホールダウン金具１は、上記の各実施の形態と同様に、建築物の柱への固定部材２と、建築物の基礎に埋設されたアンカーボルトへの締結部材３と、上記固定部材２と締結部材３とを接続するためのワイヤロープ４ａとからなる接続部材４とから構成されており、この接続部材４の上部に上記固定部材２を取付けると共に、ワイヤロープ４ａの下部に上記締結部材３を取付けて、これらの三つの部材２、３、４を一体的に構成してある。
【００３１】
上記固定部材２は、柱の側面に取付けるための縦ながの長方形状の金属板２ａに複数の取付孔２ｂを設けると共に、該金属板２ａの正面下方部に上記ワイヤロープ４ａの上部を取付けるための管状の取付部材１０を一体的に設けて構成されている。
【００３２】
上記管状の取付部材１０は、この実施の形態では、金属板２の下部に突設した雄ネジ２ｄに進退自在に螺合させるための雌ネジ１０ａを上部内面に設けたスリーブ１０ｂと、該スリーブ１０ｂ内に緩挿された稍々短いソケット１０ｃを主要部材として構成されており、スリーブ１０ｂの下端には内向きフランジ１０ｂ１が設けられて、ソケット１０ｃがスリーブ１０ｂの下端から逸脱しないように構成されると共に、ソケット１０ｃ内にはワイヤロープ４ａの上端部がカシメ手段により挿着されている。
【００３３】
したがって、この実施の形態における固定部材２は、前記雄ネジ２ｄに雌ネジ１０ａを進退自在に螺合して回転可能に構成したスリーブ１０ｂを介して、ワイヤロープ４ａとは無関係に独自に回転可能に構成されている。
【００３４】
また、上記締結部材３は上部を開口したソケット１１で構成されており、該ソケット１１の下部内面には雌ネジ１２が設けてあり、ソケット１１内にワイヤロープ４ａの下端部がカシメ手段により挿着されて、このようにして、ワイヤロープ４ａの上端部に固定部材２を取付けると共に、下端部に締結部材３を取付けたホールダウン金具１を構成したものである。
【００３５】
上記のように構成された第４の実施の形態に係るホールダウン金具１は、締結部材３であるソケット１１の雌ネジ１２をアンカーボルト（ロ）に螺合（図１５参照）すると共に、図示するのを省略したが、建物の柱の側面に上記固定部材２の金属板２ａを取付孔２ｂを介してビス等により取付けて使用するものであるが、固定部材２を柱の所定の位置に正確に取付けることができない場合には、固定部材２における管状の取付部材１０のスリーブ１０ｃを右又は左に回転し、雄ネジ２ｄに螺合してある雌ネジ１０ａを介し、スリーブ１０ｂを適宜に進退させて位置調整を行なうことにより、固定部材２を所定の位置に確実に取付けることができる。
【００３６】
上記のように、この第４の実施の形態によれば、第１及び第２の形態と同様に、ワイヤロープ４ａによるアンカーボルト（ロ）と柱（ハ）の接続を確実に行ない得ると共に、第１〜３の実施の形態と同様に、従来のように接続作業の現場において、接続部材の上端部をホールダウン金物に取付ける工程を省略し得て、その接続作業を著しく能率的に行なうことができ、且つスリーブ１０ｂを回転させて固定部材２の位置調整を行なっても、ワイヤロープ４ａの撚りに変化を生じるのを防止し得ると共に、アンカーボルト（ロ）の突出位置が所定の位置とズレて多少相違していても、その相違に対応して支障なく接続できる等の効果を達成できるものである。
【００３７】
以上、本発明の主要な実施の形態について説明したが、本発明は、これらの実施の形態に限定されるものではなく、本発明の目的を達成でき且つ本発明の要旨を逸脱しない範囲内での設計的変更は可能であって、これらの設計的変更も全て本発明の特許請求の範囲に含まれるものである。
【００３８】
【発明の効果】
請求項１及び請求項６に記載された発明は、柱への固定部材と、アンカーボルトへの締結部材と、この固定部材と締結部材とを接続するための接続部材を一体的に構成したホールダウン金具及びそのホールダウン金具を用いた建築物の基礎と柱との接続方法に係るものであるから、固定部材（ホールダウン金物）と接続部材とを別個に構成した従来技術に較べて、狭いスペースの施工現場における建築物の基礎と柱との接続作業を著しく容易且つ能率的に達成できる。
【００３９】
請求項２及び請求項３に記載の発明によれば、締結部材及び固定部材は、接続部材とは無関係に独自に回転可能にそれぞれ構成されているので、前述した理由により、アンカーボルトの埋設位置が所定の位置から多少ずれて変位しているような場合であっても、これに対処して上記の接続を支障なく達成できる。
【図面の簡単な説明】
【図１】本発明の第１の実施の形態を示す正面図である。
【図２】その要部の縦断正面図である。
【図３】そのソケット部に設けたナット部とアンカーボルトの螺合状態を示す簡略説明図である。
【図４】本発明の第２の実施の形態を示す正面図である。
【図５】その要部の縦断正面図である。
【図６】そのソケット部に設けたナット部とアンカーボルトの螺合状態を示す簡略説明図である。
【図７】図１に示す第１の実施の形態の使用状態を示す説明図である。
【図８】本発明の第３の実施の形態を示しており、その締結部材を縦断した状態の正面図である。
【図９】締結部材を９０度回転した状態における図８の側面図である。
【図１０】上記締結部材の拡大横断平面図である。
【図１１】図１０の締結部材のうちのアンカーボルトを挿着する方のパイプを約４５度回転させた状態の説明図である。
【図１２】図８に示す締結部材のうちの一方のパイプにアンカーボルトを挿着した状態における締結部材の断面図である。
【図１３】図１２の締結部材を９０度回転した状態における図１２の側面図である。
【図１４】図８に示す第３の実施の形態の使用状態を示す説明図である。
【図１５】本発明の第４の実施の形態を示す要部の縦断正面図である。
【符号の説明】
１　　　ホールダウン金具
２　　　固定部材
２ａ　　金属板
２ｂ　　取付孔
２ｃ　　ソケット
２ｄ　　雄ネジ
３　　　締結部材
３ａ　　ソケット
３ｂ　　雌ネジ
３ｃ　　雄ネジ
３ｄ　　ナット
４　　　接続部材
４ａ　　ワイヤロープ
５ａ　　スリーブ
５ｂ　　ソケット
５ａ１　　内向きフランジ
５ｃ　　雌ネジ
５ｄ　　雄ネジ
５ｅ　　ナット
６ａ　　金属パイプ
６ｂ　　金属パイプ
７　　　ロッド
７ａ　　直線状部分
７ｂ　　直線状部分
７ｃ　　緩曲線状部分
７ｄ　　雄ネジ
８　　　ナット
９　　　ナット
１０　　　管状の取付部材
１０ａ　　雌ネジ
１０ｂ　　スリーブ
１０ｂ１　　内向のフランジ
１０ｃ　　ソケット
１１　　　ソケット
１２　　　雌ネジ
【図１】
2004044165.tif 000003
【図２】
2004044165.tif 000004
【図３】
2004044165.tif 000005
【図４】
2004044165.tif 000006
【図５】
2004044165.tif 000007
【図６】
2004044165.tif 000008
【図７】
2004044165.tif 000009
【図８】
2004044165.tif 000010
【図９】
2004044165.tif 000011
【図１０】
2004044165.tif 000012
【図１１】
2004044165.tif 000013
【図１２】
2004044165.tif 000014
【図１３】
2004044165.tif 000015
【図１４】
2004044165.tif 000016
【図１５】
2004044165.tif 000017
【手続補正書】
【提出日】平成15年2月28日(2003.2.28)
【手続補正１】
【補正対象書類名】明細書
【補正対象項目名】特許請求の範囲
【補正方法】変更
【補正の内容】
【特許請求の範囲】
【請求項１】
建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するための接続部材とから構成されており、接続部材の上部には上記固定部材が一体的に取付けられており、接続部材の下部には上記締結部材が一体的に取付けられていて、これらの三部材を予め一体的に構成したことを特徴とするホールダウン金具。
【請求項２】
締結部材は接続部材とは無関係に独自に回転可能に構成されている請求項１に記載のホールダウン金具。
【請求項３】
固定部材は接続部材とは無関係に独自に回転可能に構成されている請求項１に記載のホールダウン金具。
【請求項４】
接続部材をワイヤロープにより構成した請求項１に記載のホールダウン金具。
【請求項５】
接続部材をロッドにより構成した請求項１に記載のホールダウン金具。
【請求項６】
建築物の基礎に埋設されたアンカーボルトと建築物の柱との接続方法であって、柱への取付孔を備えた固定部材と、アンカーボルトへの締結部材と、この固定部材と締結部材とを接続するための接続部材とから構成され、接続部材の上部には上記固定部材が一体的に取付けられており、接続部材の下部には上記締結部材が一体的に取付けられていて、これらの三部材を予め一体的に構成したホールダウン金具を用いて、アンカーボルトに上記締結部材を取付けると共に、柱に上記固定部材を取付けて接続することを特徴とする建築物の基礎と柱との接続方法。
【手続補正２】
【補正対象書類名】明細書
【補正対象項目名】０００５
【補正方法】変更
【補正の内容】
【０００５】
【課題を解決するための手段】
上記の課題を解決し、その目的を達成する手段として、本発明は、建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するための接続部材とから構成されており、接続部材の上部には上記固定部材が一体的に取付けられており、接続部材の下部には上記締結部材が一体的に取付けられていて、これらの三部材を予め一体的に構成したことを特徴とするホールダウン金具を提供するものである。


【手続補正３】
【補正対象書類名】明細書
【補正対象項目名】０００７
【補正方法】変更
【補正の内容】
【０００７】
さらに、上記の課題を解決し、その目的を達成する手段として、本発明は、建築物の基礎に埋設されたアンカーボルトと建築物の柱との接続方法であって、柱への取付孔を備えた固定部材と、アンカーボルトへの締結部材と、この固定部材と締結部材とを接続するための接続部材とから構成され、接続部材の上部には上記固定部材が一体的に取付けられており、接続部材の下部には上記締結部材が一体的に取付けられていて、これらの三部材を予め一体的に構成したホールダウン金具を用いて、アンカーボルトに上記締結部材を取付けると共に、柱に上記固定部材を取付けて接続することを特徴とする建築物の基礎と柱との接続方法を提供するものである。


【手続補正４】
【補正対象書類名】明細書
【補正対象項目名】００３８
【補正方法】変更
【補正の内容】
【００３８】
【発明の効果】
請求項１及び請求項６に記載された発明は、柱への取付孔を備えた固定部材と、アンカーボルトへの締結部材と、この固定部材と締結部材とを接続するための接続部材との三部材を予め一体的に構成したホールダウン金具及びそのホールダウン金具を用いた建築物の基礎と柱との接続方法に係るものであるから、固定部材（ホールダウン金物）と接続部材とを別個に構成した従来技術に較べて、狭いスペースの施工現場における建築物の基礎と柱との接続作業を著しく容易且つ能率的に達成できる。


【手続補正５】
【補正対象書類名】明細書
【補正対象項目名】００３９
【補正方法】変更
【補正の内容】
【００３９】
請求項２及び請求項３に記載の発明によれば、上記の効果に加えて、締結部材及び固定部材は、接続部材とは無関係に独自に回転可能にそれぞれ構成されているので、前述した理由により、アンカーボルトの埋設位置が所定の位置から多少ずれて変位しているような場合であっても、これに対処して上記の接続を支障なく達成できる。




【手続補正書】
【提出日】平成15年7月9日(2003.7.9)
【手続補正１】
【補正対象書類名】明細書
【補正対象項目名】全文
【補正方法】変更
【補正の内容】
【発明の詳細な説明】
【特許請求の範囲】
【請求項１】建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するための接続部材とから構成されており、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したことを特徴とするホールダウン金具。
【請求項２】接続部材をワイヤロープにより構成した請求項１に記載のホールダウン金具。
【請求項３】接続部材をロッドにより構成した請求項１に記載のホールダウン金具。
【請求項４】建築物の基礎に埋設されたアンカーボルトと建築物の柱との接続方法であって、柱への取付孔を備えた固定部材と、アンカーボルトへの締結部材と、この固定部材と締結部材とを接続するための接続部材とから構成され、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したホールダウン金具を用いて、アンカーボルトに上記締結部材を取付けると共に、柱に上記固定部材を取付けて接続することを特徴とする建築物の基礎と柱との接続方法。
【発明の詳細な説明】
【０００１】
【発明の属する技術分野】
本発明は、ホールダウン金具及びそのホールダウン金具を用いた建築物の基礎と柱との接続方法に関し、さらに詳しくは、建築物の基礎に埋設されたアンカーボルトと、建築物の柱とを接続するためのホールダウン金具及びそのホールダウン金具を用いた建築物の基礎と柱との接続方法に関するものである。
【０００２】
【従来の技術】
建築物の基礎の上部に配置した土台に柱を立設固定する際に、土台に対する柱の立設強度を向上する手段としては、従来より種々のものが提供されているが、いづれの場合も、柱に固着するホールダウン金物と基礎に埋め込まれたアンカーボルトを接続するための接続部材は、ホールダウン金物とは別個に構成されている。
【０００３】
従って、上記各部材を用いて土台に立設した柱の立設強度を向上するためには、柱にホールダウン金物を固着する工程と、このホールダウン金物に接続部材の上端部を取付ける工程と、接続部材の下端部に取付けられている締結部材をアンカーボルトに締結する工程が必要であるため、容易且つ能率的に接続作業を行ない難く、接続現場のスペースが狭いことも相俟って、その接続作業は著しく困難であるという問題がある。
【０００４】
【発明が解決しようとする課題】
本発明は、上記の問題を解決することを課題として開発されたものであって、接続作業の現場において、接続部材の上端部をホールダウン金物に取付ける工程を省き得て、著しく容易且つ能率的にアンカーボルトと建築物の柱とを接続できるホールダウン金具及びそのホールダウン金具を用いた建築物の基礎と柱との接続方法を提供することを主要な目的とする。
【０００５】
【課題を解決するための手段】
上記の課題を解決し、その目的を達成する手段として、本発明は、建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するための接続部材とから構成されており、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したことを特徴とするホールダウン金具を提供するものである。
【０００６】
また、本発明は、上記のように構成したホールダウン金具において、接続部材をワイヤロープにより構成したホールダウン金具、並びに接続部材をロッドにより構成したホールダウン金具をそれぞれ提供するものである。
【０００７】
さらに、上記の課題を解決し、その目的を達成する手段として、本発明は、建築物の基礎に埋設されたアンカーボルトと建築物の柱との接続方法であって、柱への取付孔を備えた固定部材と、アンカーボルトへの締結部材と、この固定部材と締結部材とを接続するための接続部材とから構成され、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したホールダウン金具を用いて、アンカーボルトに上記締結部材を取り付けると共に、柱に上記固定部材を取付けて接続することを特徴とする建築物の基礎と柱との接続方法を提供するものである。
【０００８】
【発明の実施の形態】
以下に、本発明の主要な実施の形態の幾つかについて説明する。
図１及び図２は本発明に係るホールダウン金具の第１の実施の形態を示しており、この実施の形態では、ホールダウン金具１は、建築物の柱への固定部材２と、建築物の基礎に埋設されたアンカーボルトへの締結部材３と、上記固定部材２と締結部材３とを接続するための接続部材４とから構成されており、この接続部材４の上部に上記固定部材２を取付けると共に、接続部材４の下部に上記締結部材３を取付けて、これらの三つの部材２、３、４を一体的に構成してある。
【０００９】
上記固定部材２は、柱の側面に取付けるための縦ながの長方形状金属板２ａに複数の取付孔２ｂを設けると共に、該金属板２ａの正面下方部に下方を開口したソケット２ｃを溶接手段により一体的に設けて構成されている。
【００１０】
また、上記締結部材３は、スリーブ５ａと該スリーブ５ａ内に回転可能に緩挿された稍々短いソケット５ｂとを主要部材として構成されており、スリーブ５ａの上端には内向フランジ５ａ１が設けられて、ソケット５ｂがスリーブ５ａの上端から抜脱しないように構成されている。
【００１１】
また、上記接続部材４は、この実施の形態では、ワイヤロープ４ａで構成されており、このワイヤロープ４ａの一端部を固定部材２のソケット２ｃに挿通し、ソケット２ｃをカシメてワイヤロープ４ａの上部に固定部材２を一体的に取付けると共に、ワイヤロープ４ａの他端部を締結部材３のソケット５内にカシメ手段により挿着してあり、上記スリーブ５ａは、ソケット５ｂとワイヤロープ４ａとは無関係に独自に自由に回転できるように構成されている。
【００１２】
また、締結部材３の上記スリーブ５ａの下部内面には右回りの雌ネジ５ｃと、この雌ネジ５ｃに螺合する雄ネジ５ｄを上方に突設したナット５ｅが設けられていて、該ナット５ｅの雄ネジ５ｄを上記雌ネジ５ｃの途中まで螺合して、ホールダウン金具１を構成したものである。
【００１３】
上記のように構成された本発明に係るホールダウン金具１の第１の実施の形態の使用状態を作用、効果と共に説明すれば、図４に略示するように、建物の基礎に埋設されて、上端を土台（イ）から突出させたアンカーボルト（ロ）に締結部材３のナット５ｅを螺合（図３参照）した後、ホールダウン金具１の固定部材２の金属板２ａを建物の土台（イ）上に立設された柱（ハ）の所要の位置に、取付孔２ｂを介してビスなどにより固着して、ワイヤロープ４ａによりアンカーボルト（ロ）と柱（ハ）とを接続する。
【００１４】
次に、アンカーボルト（ロ）に螺合したナット５ｅを、図３に示すように、矢印方向にさらに回転させてねじ込むと、ターンバックル作用により、スリーブ５ａの雌ネジ５ｃに途中まで螺合してある雄ネジ５ｄも、スリーブ５ａの雌ネジ５ｃ内にねじ込まれてスリーブ５ａ及びソケット５ｂと共にワイヤロープ４ａを引き寄せるため、この引き寄せ張力によりワイヤロープ４ａによるアンカーボルト（ロ）と柱（ハ）の接続を必要且つ十分に調節された接続力で接続できると共に、従来のように、接続作業の現場において、接続部材の上端部をホールダウン金物に取付ける工程を省き得て、著しく容易且つ能率的にアンカーボルトと建築物の柱とを接続できる利点がある。
【００１５】
また、この第１の実施の形態によれば、ワイヤロープ４ａを挿着したソケット５ｂに対してスリーブ５ａを回転自由に構成してあるので、ホールダウン金具１のワイヤロープ４ａによるアンカーボルト（ロ）と柱（ハ）の接続を、必要且つ十分に調節された接続力で接続できる効果、及びアンカーボルト（ロ）への接続部材３のナット５ｅの締め込み量が増大しても、ワイヤロープ４ａの撚りに変化を生じるおそれがない効果、並びにアンカーボルト（ロ）の突出位置が所定の位置と多少相違していても、その相違に対応して支障なく接続できる等の効果を一層向上できるものである。
【００１６】
図５及び図６は本発明の第２の実施の形態を示しており、この実施の形態では、建築物の柱への固定部材２を、縦ながの長方形状の金属板２ａに複数の取付孔２ｂを設けた部材のみで構成し、アンカーボルトへの締結部材３を、２本の短めの金属パイプ６ａ、６ｂを外周側面において、例えば、溶接手段により固着並設した部材により構成し、且つ上記固定部材２と締結部材３とを接続するための接続部材４を、この実施の形態では、図６に示すように、上方の直線状部分７ａと下方の直線状部分７ｂとの間に緩曲線状部分７ｃを形成すると共に、下方の直線状部分７ｂに雄ネジ７ｄを設けたロッド７により構成した点において、上記第１、の実施の形態とは各部材の構成を異にしている。
【００１７】
この実施の形態に係るホールダウン金具１は、接続部材４を構成する上記ロッド７の上方の直線状部分７ａを、下方の直線状部分７ｂが緩曲線状部分７ｃを介して前方に突出して位置するように、固定部材２を構成する上記金属板２ａの正面下方部に、例えば、溶接手段により固着すると共に、ロッド７の下方の直線状部分７ｂの雄ネジ７ｄを、締結部材３を構成する上記２本の金属パイプ６ａ、６ｂのいづれか一方、例えば、金属パイプ６ａに挿入し、その下方突出部にナット８を螺合締着して構成されており、従って、このホールダウン金具１は、その固定部材２と締結部材３と接続部材４との三つの部材が一体的に構成されている。
【００１８】
上記のように構成されたホールダウン金具１の締結部材３は、ナット８を弛めることによりロッド７とは無関係に独自に回転可能であり、したがって図７及び図８に略示するように、ロッド７を挿通していない他方の金属パイプ６ｂをロッド７の回りで回転させることにより、一定の範囲内でその位置を変えることができる。
【００１９】
次に、上記のように構成された本発明に係るホールダウン金具１の第２の実施の形態の使用状態を作用、効果と共に説明すれば、図１１に略示するように、建物の基礎に埋設されて、上端を土台（イ）から突出させたアンカーボルト（ロ）に、締結部材３を構成する金属パイプ６ａ、６ｂのうちのロッド７が挿着されていない金属パイプ６ｂを挿通（図９、図１０参照）した後、アンカーボルト（ロ）の突出端部にナット９を螺合締着し、次に、ホールダウン金具１の固定部材２の金属板２ａを建物の土台（イ）上に立設された柱（ハ）の所要の位置に取付孔２ｂを介してビスなどにより固着して、ロッド７によりアンカーボルト（ロ）と柱（ハ）とを接続する。
【００２０】
このとき、アンカーボルト（ロ）の埋設位置が所期の設定位置と相違していて、その突出端部の位置が多少偏位していても、図７及び図８に略示するように、ロッド７とは無関係に締結部材３（金属パイプ６ａ、６ｂ）を回転できるように構成してあるので、前記した操作にしたがい、金属パイプ６ａ、６ｂを回転して、その位置をアンカーボルト（ロ）の位置と一致させることにより、金属パイプ６ｂ内にアンカーボルト（ロ）を挿着できる利点がある。
【００２１】
したがって、上記第２の実施の形態によれば、既述した第１の実施の形態と同様に、従来のように接続作業の現場において、接続部材の上端部をホールダウン金物に取付ける工程を省き得て、著しく容易且つ能率的にアンカーボルトと建築物の柱とを接続できる利点があると共に、アンカーボルト（ロ）の突出位置が所定の位置と多少相違していても、その相違に対応してアンカーボルト（ロ）と柱（ハ）との接続を確実に行なうことができる利点がある。
【００２２】
以上、本発明の主要な実施の形態について説明したが、本発明は、これらの実施の形態に限定されるものではなく、本発明の目的を達成でき且つ本発明の要旨を逸脱しない範囲内での設計的変更は可能であって、これらの設計的変更も全て本発明の特許請求の範囲に含まれるものである。
【００２３】
【発明の効果】
請求項１及び請求項４に記載された発明は、柱への取付孔を備えた固定部材と、アンカーボルトへの締結部材と、この固定部材と締結部材とを接続するための接続部材との三部材を予め一体的に構成し、且つ該締結部材を接続部材とは無関係に独自に回転可能に構成したホールダウン金具及びそのホールダウン金具を用いた建築物の基礎と柱との接続方法に係るものであるから、固定部材（ホールダウン金物）と接続部材とを別個に構成した従来技術に較べて、狭いスペースの施工現場における建築物の基礎と柱との接続作業を著しく容易且つ能率的に達成でき、且つ前述した理由により、アンカーボルトの埋設位置が所定の位置から多少ずれて変位しているような場合であっても、これに対処して上記の接続を支障なく達成できる多大な効果がある。
【図面の簡単な説明】
【図１】本発明の第１の実施の形態を示す正面図である。
【図２】その要部の縦断正面図である。
【図３】そのソケット部に設けたナット部とアンカーボルトの螺合状態を示す簡略説明図である。
【図４】図１に示す第１の実施の形態の使用状態を示す説明図である。
【図５】本発明の第２の実施の形態を示しており、その締結部材を縦断した状態の正面図である。
【図６】締結部材を９０度回転した状態における図５の側面図である。
【図７】上記締結部材の拡大横断平面図である。
【図８】図７の締結部材のうちのアンカーボルトを挿着する方のパイプを約４５度回転させた状態の説明図である。
【図９】図５に示す締結部材のうちの一方のパイプにアンカーボルトを挿着した状態における締結部材の断面図である。
【図１０】図９の締結部材を９０度回転した状態における図９の側面図である。
【図１１】図５に示す第２の実施の形態の使用状態を示す説明図である。
【符号の説明】
１　　　ホールダウン金具
２　　　固定部材
２ａ　　金属板
２ｂ　　取付孔
２ｃ　　ソケット
３　　　締結部材
４　　　接続部材
４ａ　　ワイヤロープ
５ａ　　スリーブ
５ｂ　　ソケット
５ａ１　　内向きフランジ
５ｃ　　雌ネジ
５ｄ　　雄ネジ
５ｅ　　ナット
６ａ　　金属パイプ
６ｂ　　金属パイプ
７　　　ロッド
７ａ　　直線状部分
７ｂ　　直線状部分
７ｃ　　緩曲線状部分
７ｄ　　雄ネジ
８　　　ナット
９　　　ナット
【手続補正２】
【補正対象書類名】図面
【補正対象項目名】全図
【補正方法】変更
【補正の内容】
【図１】
2004044165.tif 000018
【図２】
2004044165.tif 000019
【図３】
2004044165.tif 000020
【図４】
2004044165.tif 000021
【図５】
2004044165.tif 000022
【図６】
2004044165.tif 000023
【図７】
2004044165.tif 000024
【図８】
2004044165.tif 000025
【図９】
2004044165.tif 000026
【図１０】
2004044165.tif 000027
【図１１】
2004044165.tif 000028
【手続補正書】
【提出日】平成15年9月11日(2003.9.11)
【手続補正１】
【補正対象書類名】明細書
【補正対象項目名】全文
【補正方法】変更
【補正の内容】
【発明の詳細な説明】
【特許請求の範囲】
【請求項１】建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するためのワイヤロープから成る接続部材とから構成されており、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したことを特徴とするホールダウン金具。
【請求項２】建築物の基礎に埋設されたアンカーボルトと建築物の柱との接続方法であって、柱への取付孔を備えた固定部材と、アンカーボルトへの締結部材と、この固定部材と締結部材とを接続するためのワイヤロープから成る接続部材とから構成され、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したホールダウン金具を用いて、アンカーボルトに上記締結部材を取付けると共に、柱に上記固定部材を取付けて接続することを特徴とする建築物の基礎と柱との接続方法。
【発明の詳細な説明】
【０００１】
【発明の属する技術分野】
本発明は、ホールダウン金具及びそのホールダウン金具を用いた建築物の基礎と柱との接続方法に関し、さらに詳しくは、建築物の基礎に埋設されたアンカーボルトと、建築物の柱とを接続するためのホールダウン金具及びそのホールダウン金具を用いた建築物の基礎と柱との接続方法に関するものである。
【０００２】
【従来の技術】
建築物の基礎の上部に配置した土台に柱を立設固定する際に、土台に対する柱の立設強度を向上する手段としては、従来より種々のものが提供されているが、いづれの場合も、柱に固着するホールダウン金物と基礎に埋め込まれたアンカーボルトを接続するための接続部材は、ホールダウン金物とは別個に構成されている。
【０００３】
従って、上記各部材を用いて土台に立設した柱の立設強度を向上するためには、柱にホールダウン金物を固着する工程と、このホールダウン金物に接続部材の上端部を取付ける工程と、接続部材の下端部に取付けられている締結部材をアンカーボルトに締結する工程が必要であるため、容易且つ能率的に接続作業を行ない難く、接続現場のスペースが狭いことも相俟って、その接続作業は著しく困難であるという問題がある。
【０００４】
【発明が解決しようとする課題】
本発明は、上記の問題を解決することを課題として開発されたものであって、接続作業の現場において、接続部材の上端部をホールダウン金物に取付ける工程を省き得て、著しく容易且つ能率的にアンカーボルトと建築物の柱とを接続できるホールダウン金具及びそのホールダウン金具を用いた建築物の基礎と柱との接続方法を提供することを主要な目的とする。
【０００５】
【課題を解決するための手段】
上記の課題を解決し、その目的を達成する手段として、本発明は、建築物の基礎に埋設されたアンカーボルトと建築物の柱とを接続するためのホールダウン金具であって、柱への取付孔を備えた固定部材と、アンカーボルトへの締結部材と、この固定部材と締結部材とを接続するためのワイヤロープから成る接続部材とから構成されており、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したことを特徴とするホールダウン金具を提供するものである。
【０００６】
また、上記の課題を解決し、その目的を達成する手段として、本発明は、建築物の基礎に埋設されたアンカーボルトと建築物の柱との接続方法であって、柱への取付孔を備えた固定部材と、アンカーボルトへの締結部材と、この固定部材と締結部材とを接続するためのワイヤロープから成る接続部材とから構成され、接続部材の上部には上記固定部材が一体的に取付けられており、接続部材の下部には上記締結部材が一体的に取付けられていて、これらの三部材を予め一体的に構成し、且つ該締結部材を接続部材とは無関係に独自に回転可能に構成したホールダウン金具を用いて、アンカーボルトに上記締結部材を取り付けると共に、柱に上記固定部材を取付けて接続することを特徴とする建築物の基礎と柱との接続方法を提供するものである。
【０００７】
【発明の実施の形態】
以下に、請求項１及び請求項２に記載した本発明の主要な実施の形態について説明する。
図１及び図２は本発明に係るホールダウン金具の実施の形態を示しており、この実施の形態では、ホールダウン金具１は、建築物の柱への固定部材２と、建築物の基礎に埋設されたアンカーボルトへの締結部材３と、上記固定部材２と締結部材３とを接続するためのワイヤロープから成る接続部材４とから構成されており、この接続部材４の上部に上記固定部材２を取付けると共に、接続部材４の下部に上記締結部材３を取付けて、これらの三つの部材２、３、４を一体的に構成してある。
【０００８】
上記固定部材２は、柱の側面に取付けるための縦ながの長方形状金属板２ａに複数の取付孔２ｂを設けると共に、該金属板２ａの正面下方部に下方を開口したソケット２ｃを溶接手段により一体的に設けて構成されている。
【０００９】
また、上記締結部材３は、スリーブ５ａと該スリーブ５ａ内に回転可能に緩挿された稍々短いソケット５ｂとを主要部材として構成されており、スリーブ５ａの上端には内向フランジ５ａ１が設けられて、ソケット５ｂがスリーブ５ａの上端から抜脱しないように構成されている。
【００１０】
また、上記接続部材４は、ワイヤロープ４ａで構成されており、このワイヤロープ４ａの一端部を固定部材２のソケット２ｃに挿通し、ソケット２ｃをカシメてワイヤロープ４ａの上部に固定部材２を一体的に取付けると共に、ワイヤロープ４ａの他端部を締結部材３のソケット５内にカシメ手段により挿着してあり、上記スリーブ５ａは、ソケット５ｂとワイヤロープ４ａとは無関係に独自に自由に回転できるように構成されている。
【００１１】
また、締結部材３の上記スリーブ５ａの下部内面には右回りの雌ネジ５ｃと、この雌ネジ５ｃに螺合する雄ネジ５ｄを上方に突設したナット５ｅが設けられていて、該ナット５ｅの雄ネジ５ｄを上記雌ネジ５ｃの途中まで螺合して、ホールダウン金具１を構成したものである。
【００１２】
上記のように構成された本発明に係るホールダウン金具１の実施の形態の使用状態を作用、効果と共に説明すれば、図４に略示するように、建物の基礎に埋設されて、上端を土台（イ）から突出させたアンカーボルト（ロ）に締結部材３のナット５ｅを螺合（図３参照）した後、ホールダウン金具１の固定部材２の金属板２ａを建物の土台（イ）上に立設された柱（ハ）の所要の位置に、取付孔２ｂを介してビスなどにより固着して、ワイヤロープ４ａによりアンカーボルト（ロ）と柱（ハ）とを接続する。
【００１３】
次に、アンカーボルト（ロ）に螺合したナット５ｅを、図３に示すように、矢印方向にさらに回転させてねじ込むと、ターンバックル作用により、スリーブ５ａの雌ネジ５ｃに途中まで螺合してある雄ネジ５ｄも、スリーブ５ａの雌ネジ５ｃ内にねじ込まれてスリーブ５ａ及びソケット５ｂと共にワイヤロープ４ａを引き寄せるため、この引き寄せ張力によりワイヤロープ４ａによるアンカーボルト（ロ）と柱（ハ）の接続を必要且つ十分に調節された接続力で接続できると共に、従来のように、接続作業の現場において、接続部材の上端部をホールダウン金物に取付ける工程を省き得て、著しく容易且つ能率的にアンカーボルトと建築物の柱とを接続できる利点がある。
【００１４】
また、この実施の形態によれば、ワイヤロープ４ａを挿着したソケット５ｂに対してスリーブ５ａを回転自由に構成してあるので、ホールダウン金具１のワイヤロープ４ａによるアンカーボルト（ロ）と柱（ハ）の接続を、必要且つ十分に調節された接続力で接続できる効果、及びアンカーボルト（ロ）への接続部材３のナット５ｅの締め込み量が増大しても、ワイヤロープ４ａの撚りに変化を生じるおそれがない効果、並びにアンカーボルト（ロ）の突出位置が所定の位置と多少相違していても、その相違に対応して支障なく接続できる等の効果を一層向上できるものである。
【００１５】
以上、本発明の主要な実施の形態について説明したが、本発明は、これらの実施の形態に限定されるものではなく、本発明の目的を達成でき且つ本発明の要旨を逸脱しない範囲内での設計的変更は可能であって、これらの設計的変更も全て本発明の特許請求の範囲に含まれるものである。
【００１６】
【発明の効果】
請求項１及び請求項２に記載された発明は、柱への取付孔を備えた固定部材と、アンカーボルトへの締結部材と、この固定部材と締結部材とを接続するためのワイヤロープから成る接続部材との三部材を予め一体的に構成し、且つ該締結部材を接続部材とは無関係に独自に回転可能に構成したホールダウン金具及びそのホールダウン金具を用いた建築物の基礎と柱との接続方法に係るものであるから、次の効果を奏する。
（１）固定部材（ホールダウン金物）と接続部材とを別個に構成した従来技術に較べて、狭いスペースの施工現場における建築物の基礎と柱との接続作業を著しく容易且つ能率的に達成できる。
（２）接続部材をワイヤロープにより構成すると共に、締結部材をワイヤロープから成る接続部材とは無関係に独自に回転可能に構成したので、前記実施の形態の項で詳述した理由により、アンカーボルトの埋設位置が所定の位置から多少ずれて変位しているような場合であっても、これに対処して上記の接続を必要且つ十分に調節された接続力で支障なく達成できる多大な効果がある。
【図面の簡単な説明】
【図１】本発明の実施の形態を示す正面図である。
【図２】その要部の縦断正面図である。
【図３】そのソケット部に設けたナット部とアンカーボルトの螺合状態を示す簡略説明図である。
【図４】この実施の形態の使用状態を示す説明図である。
【符号の説明】
１　　　ホールダウン金具
２　　　固定部材
２ａ　　金属板
２ｂ　　取付孔
２ｃ　　ソケット
３　　　締結部材
４　　　接続部材
４ａ　　ワイヤロープ
５ａ　　スリーブ
５ｂ　　ソケット
５ａ１　内向きフランジ
５ｃ　　雌ネジ
５ｄ　　雄ネジ
５ｅ　　ナット
【手続補正２】
【補正対象書類名】図面
【補正対象項目名】全図
【補正方法】変更
【補正の内容】
【図１】
2004044165.tif 000029
【図２】
2004044165.tif 000030
【図３】
2004044165.tif 000031
【図４】
2004044165.tif 000032